(57)【要約】【課題】複数の線香を密に並べて紙面に見立てそこに図形や経文を印刷して判読できるような状態に並べて商品としてパックにした場合、不注意から各線香の順序が入れ替わってしまうと難解な経文などは元に戻す事が困難になる。そこで焼香など所有者の意思で線香体の配列が崩れるまでの間は前記線香体の表示内容が観賞価値のある物として維持され商品価値が低下するのを回避することにある。【解決手段】印刷された線香２を個別に収納するための中空セルを並列に並べて形成した中空セル構造体である収納主体１を保護ケース３に内包した。【選択図】図１
2011121626.tif 000002
【特許請求の範囲】
【請求項１】
線香体を収納する容器であって、前記線香体を収納可能な複数の縦長の中空セルが並列に並んで形成されている収納主体を設けたことを特徴とする線香体収納容器。
【請求項２】
前記収納主体は保護ケースに内包されていることを特徴とする請求項１に記載の線香体収納容器。
【請求項３】
前記収納主体はピロー形の保護ケースに内包されていることを特徴とする請求項１に記載の線香体収納容器。
【請求項４】
前記収納主体は透明な保護ケースに内包されていることを特徴とする請求項１に記載の線香体収納容器。
【請求項５】
前記収納主体はＯＰＰ袋に内包されていることを特徴とする請求項１に記載の線香体収納容器。
【発明の詳細な説明】
【技術分野】
【０００１】
本発明は略平面的に密に並べられた複数の線香体上に経典などの文字列や図形などが印刷され判読可能にパック化された状態が不注意などにより前記線香体の位置関係が崩れて文字列や図形が意図された内容として判読不能になる事を防止するための線香体収納容器に関する。
【背景技術】
【０００２】
複数の線香体に経典などの文字列や図形を印刷し順序良く連続的に並べ合わせてあたかも紙面に文章や図形を描いたようなイメージにしてパック化した商品が存在する事は広く知られている事実である。紙面に印刷された図形や文字列と異なるのは行に相当する各線香体は入れ替えが自在であり判読可能に予め決められた配列が崩れて入れ替わると意味不明になり商品価値が消失することである。また印刷されてセットになった線香体ブロックの１本１本がいわゆる紙面あるいはキャンバスを形成するものであり１本でも破損したり紛失しても商品価値を失うものである。
【先行技術文献】
【特許文献】
【０００３】
【特許文献１】特開２００７−１９０８４１号公報
【特許文献２】実開平６−３０１２７号公報
【特許文献３】実開平７−３８１３７号公報
【０００４】
従来では各線香体間に容器とは別体の仕切り板を挟んだり容器自体の底面を予め収納に必要な本数分だけ区分けして一体的に成型した容器に線香体を順序正しく収納することで前記線香体の配列の入れ替わりを回避しているが、不用意に容器を落としたりひっくり返すと線香体が破損したり難解な印刷内容によっては判読可能な状態に戻す事が不可能になった。
【発明の概要】
【発明が解決しようとする課題】
【０００５】
本発明が解決しようとする課題は焼香など所有者の意思で線香体の配列が崩れるまでの間は前記線香体の表示内容が観賞価値のある物として維持され商品価値が低下するのを回避することにある。
【課題を解決するための手段】
【０００６】
そこで本発明では第１に複数の縦長の中空セルが並列に並んで形成されている収納主体を線香体収納容器に備えた。
【０００７】
第２に前記収納主体を保護ケースに内包した。
【０００８】
第３に前記収納主体をピロー形の保護ケースに内包した。
【０００９】
第４に前記収納主体を透明な保護ケースに内包した。
【００１０】
第５に前記収納主体をＯＰＰ袋に内包した。
【発明の効果】
【００１１】
第１の発明の効果は印刷されて収納された線香体は全て連続して並ぶセル空間で構成される収納主体に個別に納められており周囲の障害物に接触する機会がないため損傷から守られ、図形や文章の一部が部分的に欠落したり入れ替わることもないので表示内容は安定的に維持される。
【００１２】
第２の発明の効果は前記収納主体を前記収納主体より強固な保護ケースに内包することにより歩留まりが向上した。
【００１３】
第３の発明の効果は前記収納体はピロー形ケースの中で周囲を空気層で囲まれて宙に浮くように保持されるため線香体収納容器としての強度が向上すると同時に鑑賞対象物としての価値が向上した。
【００１４】
第４の発明の効果は線香体に印刷された表示内容が外部から一瞥で確認できるため印刷目的が強調されて観賞価値と商品価値が向上した。
【００１５】
第５の発明の効果は数本程度の線香体を収納する前記収納主体はＯＰＰ袋に内包する生産形態が最も経済的である。
【図面の簡単な説明】
【００１６】
【図１】（ａ）は本発明を実施するための最良の形態を示す斜視図（ｂ）はイ−イ方向から見た断面図（ｃ）は前記ピロー形の保護ケース３を形成する表裏の２枚の薄板が重なった状態の組み立て前の形状を示す参考図。
【図２】は中空セル構造体を示すもので（ａ）は表裏のカバー７１ａ、７１ｂ間が波状の仕切り板８１ａによってダンボール様に仕切られた形状例（ｂ）は表裏のカバー７２ａ、７２ｂ間が平行する垂直の仕切り板８２ａによってプラダン様に仕切られた形状例（ｃ）は波状の仕切り板８１ａの片側だけにカバー７２ｂを設けた例（ｅ）は丸パイプが並列に並んで一体的に形成された中空セル構造体例を示した例。
【図３】は中空セルを形成するカバーと仕切り板が独立した例で（ａ）波状の仕切り板８３ａを両端が開放された角パイプ状中空のケース３０１の一端から挿入した例（ｂ）前記波状の仕切り板８３ｂの挿入方向を９０度回転させた例（ｃ）前記波状の仕切り板８３ｃを蓋無し箱ケース３０３に収納した例（ｄ）同じく前記波状の仕切り板８３ｄを蓋５０１付き箱ケース３０４に収納した例。
【図４】は断面が波状以外の仕切り板の他の形状例を示すもので（ａ）山状（ｂ）矩形状の例。
【図５】はケースや箱を形成する垂直の面が栓あるいは蓋の代替になる例で（ａ）収納主体１０１の開放端が塞がれる向きに角パイプ状のケース３０５に収納主体１０１を挿入し収納した例（ｂ）収納主体をケース３０６に収納し開放端を塞いだ例。
【図６】は中空セル構造の収納主体１０２の両端を蓋体５０２と５０３で塞いだ例。
【図７】は収納主体、線香及び保護ケースの多様な組み合わせ例を示したもので（ａ）収納主体の長さが線香の長さより短い例（ｂ）同一収納主体の中の異なるセルに線香の種類や本数を変えて収納した例（ｃ）２段構造の収納主体１０３を透明なピロー形の保護ケース３０７に収納した例（ｄ）不透明な保護ケース３０８に収納主体を収納し内部を視認できるように透視窓９を設けた例（ｅ）収納主体の四隅をクッション部材１０で挟んで直方体の保護ケース３０９に収納した例（ｆ）両端に蓋を付けた収納主体１０５をピロー形の保護ケース３１０に収納した例。
【図８】は単独の中空セル体１１をケース３１１に複数個順序を整えて収納し複合中空セル構造体を形成して収納主体とした例。
【発明を実施するための形態】
【００１７】
本発明を実施するための最良の形態を図１（ａ）に示す。線香体を直接収納保持する収納主体１は線香体２の長さと図形や文章を表現するのに必要な面積を確保する幅に合せて透明な樹脂製の中空セルを並べて形成されたダンボール様の中空セル構造体である。前記収納主体１の長さと幅及び厚みは前記線香体２の寸法及び必要とされる収容本数など任意に決定される。
【００１８】
前記収納主体１はピロー形の保護ケース３に内包されている。図１（ｂ）にイ−イ方向から見た断面図を示すが前記収納主体１は隙間４、４、４、４で囲まれるように前記ピロー形の保護ケース３の中心部に宙に浮く状態で保持されている。図１（ｃ）は前記ピロー形の保護ケース３を形成する表裏の２枚の薄板が重なった状態の組み立て前の形状を示す参考図で、長辺側の縁は折り返すように接合されていて短辺側の外形縁は図中に示す短破線を弦とする円弧状に形成され、前記短破線を対称軸として前記外形縁と同形の円弧状の折り返し部が長破線で示されるように形成されている。短辺側開放端部の表裏を前記折り返し部にそって交互に内側に折り返えすと円盤状の蓋部５、５を断面形状とする立体的なピロー形の保護ケース３が完成する。
【００１９】
前記収納主体１は前記ピロー形の保護ケース３の両端にある蓋部５、５のいずれか一方を開けて挿入され、前記収納主体１の縁部６が前記ピロー形の保護ケース３の長辺側縁部付近の内壁面に両側から挟まれるように係着し固定される。
【００２０】
収納された線香体２、２、２、２、２、２、２、２は印刷内容が判読できるように揃えて端から有意に順序正しく収納主体１に収納されておりその順番が入れ替わることはない。前記収納主体１及び前記ピロー形の保護ケース３は共に透明或いは半透明素材で形成されており前記線香体２は表面に印刷された内容が外部から一瞥で判読可能であり一般の線香体とは異なる鑑賞目的が強調された美的効果をもたらすものになっている。
【００２１】
前記線香体の収納主体１はダンボール様の中空セル構造体であり両端は開放されているが図１の例では前記ピロー形の保護ケース３の蓋部５、５が前記線香２の脱落を防止する機能を兼ねているため前記収納主体１自体には栓やキャップなどの蓋体は設けてない。
「他の実施形態」
【００２２】
ここで他の実施形態と共に本発明における線香体の収納主体になる中空セル構造体について説明する。図２は何れも中空セル構造体例を示すもので（ａ）は表裏のカバー７１ａ、７１ｂ間が波状の仕切り板８１ａによってダンボール様に仕切られた形状例を示し（ｂ）は表裏のカバー７２ａ、７２ｂ間が平行する垂直の仕切り板８２ａによって平行に仕切られた形状例を示し、（ｃ）は前記（ａ）で示した波状の仕切り板８１ａの片側だけにカバー７２ｂを設けた例を示したものであるが前記（ａ）（ｂ）（ｃ）は全てカバーと仕切り板が一体的に形成されている。（ｄ）は丸パイプが並列に並んで一体的に形成された中空セル構造体例を示したものである。
【００２３】
図３は中空セルを形成するカバーと仕切り板とが独立した例を示すもので（ａ）は波状の仕切り板８３ａを両端が開放された角パイプ状中空のケース３０１の一端から挿入した例で前記中空のケース３０１の表裏面を形成する２面がカバーになる。（ｂ）は前記波状の仕切り板８３ｂの挿入方向を９０度回転させた例で両端はケース３０２の垂直面が蓋の機能をする。（ｃ）は前記波状の仕切り板８３ｃを蓋無し箱ケース３０３に収納した例で底部がカバーになる。（ｄ）は同じく前記波状の仕切り板８３ｄを蓋５０１付き箱ケース３０４に収納した例で蓋５０１と箱ケース３０４の底面が上下から前記波状の仕切り板８３ｄを挟み両面のカバーになる。図３のように独立したカバーと仕切り板がセットになって収納主体を形成する形態は一体的に形成される中空セル構造体に対して便宜上複合中空セル構造体と仮称する。前記ダンボール様の一体的に形成された中空セル構造体は大量生産が可能で製造コストを安く抑えられる利点があり、複合中空セル構造体はカバーと仕切り板のそれぞれの形状や色などを任意に製作し組合せられる利点がある。
【００２４】
図４は断面が波状以外の仕切り板の形状例を示すもので（ａ）は山状の例を示し（ｂ）は矩形状の例を示しているが線香体を個別に収納可能であれば仕切り板の形状はこれらに限定されるものではない。
【００２５】
図５はケースや箱を形成する垂直の面が栓あるいはキャップなどの蓋の代替になる例で（ａ）は収納主体１０１の開放端が塞がれる向きに角パイプ状のケース３０５に収納主体１０１を収納した例、図５（ｂ）は収納主体をケース３０６に収納し開放端を塞いだ例を示したもので本発明では専用の蓋体の使用は絶対条件ではないことを示すものである。
【００２６】
図６は中空セル構造の収納主体１０２の両端を蓋体５０２と５０３で塞いだ例であるが保護ケースを伴わない構成であっても収納主体を設けた線香体収納容器として認識できる形態の一例として示したもので、蓋付きの収納主体は単体であっても線香体収納容器になる。
【００２７】
図７は収納主体、線香及び保護ケースなどの多様な組み合わせ例を示し（ａ）は折れやすさなど強度に支障がない範囲であれば状況に応じて収納主体の長さが線香の長さより短くなる例を示し、図７（ｂ）では同一収納主体の中の異なるセルに線香の種類や本数を変えて収納した例を示している。図７（ｃ）は２段構造の収納主体１０３を透明なピロー形の保護ケース３０７に収納した例を示している。図７（ｄ）は不透明な保護ケース３０８に収納主体を収納し、内部を視認可能とする透視窓９を設けた例である。図７（ｅ）は収納主体１０４の四隅をクッション部材１０で挟んで表裏に隙間ができるように直方体の保護ケース３０９に収納した例を示す。図７（ｆ）は両端に蓋を付けた収納主体１０５をピロー形の保護ケース３１０に収納した例を示す。図７（ｇ）は収納主体をヘッダー付き透明ＯＰＰ袋３１１に収納した例を示す。特に少量の線香体を収納する場合には本図のように保護ケースではなく簡易なＯＰＰ袋に内包した方が製造コストを安価に抑えることができ経済的である。
【００２８】
図８は１本の線香体が収納可能な大きさに形成された単独の中空セル体１１をケース３１２に複数個順序を整えて収納し複合中空セル構造体を形成して収納主体とした例である。本例のように独立した中空セル体を箱体などのケースに入れる以外にも独立した中空セル体同士を接着する、或いは独立した中空セル体同士を結束するなどの手段によっても中空セル構造体を実現することが可能である。
【符号の説明】
【００２９】
１・・・収納主体
２・・・線香体
３・・・保護ケース
４・・・隙間
５・・・蓋部
６・・・縁部
【図１】
2011121626.tif 000003
【図２】
2011121626.tif 000004
【図３】
2011121626.tif 000005
【図４】
2011121626.tif 000006
【図５】
2011121626.tif 000007
【図６】
2011121626.tif 000008
【図７】
2011121626.tif 000009
【図８】
2011121626.tif 000010